(57)【要約】【課題】  複数の楽曲コンテンツの品質を比較すること。【解決手段】  カーオーディオ装置は、放送電波を受信するチューナ部と、受信された放送電波から楽曲コンテンツを抽出する楽曲コンテンツ抽出部２１と、抽出された楽曲コンテンツを記憶するＨＤＤ１０と、抽出された楽曲コンテンツと同じ楽曲コンテンツがＨＤＤ１０に記憶されている場合、抽出された楽曲コンテンツの品質レベルと記憶された楽曲コンテンツの品質レベルとを比較する比較部４１と、を備え、比較部４１は、楽曲コンテンツごとに複数の評価指標を決定する評価指標決定部４３と、複数の評価指標に重み付けした品質レベルを算出する品質レベル算出部４５と、を含む。【選択図】        図２
2010060838.tif 000002
【特許請求の範囲】
【請求項１】
放送電波を受信する受信手段と、
前記受信された放送電波から楽曲コンテンツを抽出する抽出手段と、
前記抽出された楽曲コンテンツを記憶する記憶手段と、
前記抽出された楽曲コンテンツと同じ楽曲コンテンツが前記記憶手段に記憶されている場合、前記抽出された楽曲コンテンツの品質レベルと前記記憶された楽曲コンテンツの品質レベルとを比較する比較手段と、を備え、
前記比較手段は、楽曲コンテンツごとに複数の評価指標を決定する評価指標決定手段と、
前記複数の評価指標に重み付けした前記品質レベルを算出する算出手段と、を含む楽曲品質判定装置。
【請求項２】
前記算出手段は、前記複数の評価指標それぞれに対応する複数の重み付け係数を設定するための設定手段を、さらに含み、
ユーザによる変更が受け付けられると、前記複数の重み付け係数をユーザにより変更された値に設定する、請求項２に記載の楽曲品質判定装置。
【請求項３】
前記評価指標決定手段は、前記楽曲コンテンツに対して尤度関数を用いて予め定められたノイズの教師データとの関係で定まるノイズ尤度を算出するノイズ尤度算出手段と、
前記算出されたノイズ尤度の最大値に基づいて、ノイズ量評価指標を決定するノイズ量評価指標決定手段と、を含む請求項１または２に記載の楽曲品質判定装置。
【請求項４】
前記評価指標決定手段は、前記楽曲コンテンツに対して尤度関数を用いて予め定められたノイズの教師データとの関係で定まるノイズ尤度を算出するノイズ尤度算出手段と、
前記算出されたノイズ尤度の平均値に基づいて、ノイズ割合評価指標を決定するノイズ割合評価指標決定手段と、を含む請求項１〜３のいずれかに記載の楽曲品質判定装置。
【請求項５】
前記評価指標決定手段は、前記楽曲コンテンツに対して尤度関数を用いて予め定められた楽曲の教師データとの関係で定まる楽曲尤度を算出する楽曲尤度算出手段と、
前記算出された楽曲尤度の最大値に基づいて、楽曲量評価指標を決定する楽曲量評価指標決定手段と、を含む請求項１〜４のいずれかに記載の楽曲品質判定装置。
【請求項６】
前記評価指標決定手段は、前記楽曲コンテンツに対して尤度関数を用いて予め定められた楽曲の教師データとの関係で定まる楽曲尤度を算出する楽曲尤度算出手段と、
前記算出された楽曲尤度の平均値に基づいて、楽曲割合評価指標を決定する楽曲割合評価指標決定手段と、を含む請求項１〜５のいずれかに記載の楽曲品質判定装置。
【発明の詳細な説明】
【技術分野】
【０００１】
この発明は楽曲品質判定装置、楽曲品質判定方法および楽曲品質判定プログラムに関し、特に放送信号に含まれる楽曲コンテンツの品質を判定する楽曲品質判定装置、楽曲品質判定方法および楽曲品質判定プログラムに関する。
【背景技術】
【０００２】
近年、ラジオ放送番組で放送される音声のうちから楽曲を自動的に判別する技術が知られている。しかしながら、楽曲が自動的に録音されるために、同じタイトルの局が重複して録音されてしまう。一方、ラジオ放送番組で放送される楽曲は、そのラジオ放送を受信するタイミングによって、品質が異なる。例えば、楽曲が一部分しか放送されない場合、ディスクジョッキーが発生するコメントの有無、受信時の電波状態の違いによるノイズレベルの差等によって、楽曲の品質が異なる。
【０００３】
例えば、特開２００５−２７４９９１号公報（特許文献１）には、同じ内容の楽曲が、複数個、品質が異なっていたり、時間軸のずれている状態で格納されている場合であっても、同じ内容の楽曲を検出する技術が記載されている。
【０００４】
しかしながら、特開２００５−２７４９９１号公報に記載の技術は、同じ内容の楽曲を検出することはできるが、複数の楽曲のいずれの品質が高いかを判断することはできない。
【特許文献１】特開２００５−２７４９９１号公報
【発明の開示】
【発明が解決しようとする課題】
【０００５】
この発明は上述した問題点を解決するためになされたもので、この発明の目的の一つは、複数の楽曲コンテンツの品質を比較することが可能な楽曲品質判定装置を提供することである。
【課題を解決するための手段】
【０００６】
上述した目的を達成するためにこの発明のある局面によれば、楽曲品質判定装置は、放送電波を受信する受信手段と、受信された放送電波から楽曲コンテンツを抽出する抽出手段と、抽出された楽曲コンテンツを記憶する記憶手段と、抽出された楽曲コンテンツと同じ楽曲コンテンツが記憶手段に記憶されている場合、抽出された楽曲コンテンツの品質レベルと記憶された楽曲コンテンツの品質レベルとを比較する比較手段と、を備え、比較手段は、楽曲コンテンツごとに複数の評価指標を決定する評価指標決定手段と、複数の評価指標に重み付けした品質レベルを算出する算出手段と、を含む。
【０００７】
この局面に従えば、楽曲コンテンツごとに複数の評価指標が決定され、決定された複数の評価指標に重み付けした品質レベルが算出され、同じ２つの楽曲コンテンツの品質レベルが比較される。このため、複数の評価指標で２つの楽曲コンテンツの品質レベルが比較されるので、２つの楽曲コンテンツの品質を比較することができる。この結果、複数の楽曲コンテンツの品質を比較することが可能な楽曲品質判定装置を提供することができる。
【０００８】
好ましくは、算出手段は、複数の評価指標それぞれに対応する複数の重み付け係数を設定するための設定手段を、さらに含み、ユーザによる変更が受け付けられると、複数の重み付け係数をユーザにより変更された値に設定する。
【０００９】
この局面に従えば、重み付け係数を設定することができるので、ユーザの好みに応じた品質の楽曲コンテンツを選択することができる。
【００１０】
この発明の他の局面によれば、楽曲品質判定装置は、放送電波を受信する受信手段と、受信された放送電波から楽曲コンテンツを抽出する抽出手段と、抽出された楽曲コンテンツから音声信号レベルまたはその変化量が所定値以上である時点をカット点として検出するカット点検出手段と、検出されたカット点の個数に基づいて、抽出された楽曲コンテンツのノイズレベルを判定する判定手段と、を備える。
【００１１】
好ましくは、評価指標決定手段は、楽曲コンテンツに対して尤度関数を用いて予め定められたノイズの教師データとの関係で定まるノイズ尤度を算出するノイズ尤度算出手段と、算出されたノイズ尤度の最大値に基づいて、ノイズ量評価指標を決定するノイズ量評価指標決定手段と、を含む。
【００１２】
好ましくは、評価指標決定手段は、楽曲コンテンツに対して尤度関数を用いて予め定められたノイズの教師データとの関係で定まるノイズ尤度を算出するノイズ尤度算出手段と、算出されたノイズ尤度の平均値に基づいて、ノイズ割合評価指標を決定するノイズ割合評価指標決定手段と、を含む。
【００１３】
好ましくは、評価指標決定手段は、楽曲コンテンツに対して尤度関数を用いて予め定められた楽曲の教師データとの関係で定まる楽曲尤度を算出する楽曲尤度算出手段と、算出された楽曲尤度の最大値に基づいて、楽曲量評価指標を決定する楽曲量評価指標決定手段と、を含む。
【００１４】
好ましくは、評価指標決定手段は、楽曲コンテンツに対して尤度関数を用いて予め定められた楽曲の教師データとの関係で定まる楽曲尤度を算出する楽曲尤度算出手段と、算出された楽曲尤度の平均値に基づいて、楽曲割合評価指標を決定する楽曲割合評価指標決定手段と、を含む。
【発明を実施するための最良の形態】
【００１５】
以下、本発明の実施の形態について図面を参照して説明する。以下の説明では同一の部品には同一の符号を付してある。それらの名称および機能も同じである。したがってそれらについての詳細な説明は繰返さない。
【００１６】
図１は、本実施の形態におけるカーオーディオ装置の基本構成の一例を示す図である。図１を参照して、カーオーディオ装置は、カーオーディオ装置の全体を制御する中央演算装置（ＣＰＵ）７と、メモリ８と、放送電波を受信するチューナ部１と、アナログ信号をデジタル信号に変換するＡ／Ｄ変換器２と、デジタルの音声信号を圧縮するＭＰ３（ＭＰＥＧ  Ａｕｄｉｏ  Ｌａｙｅｒ−３）コーデック３と、デジタル信号をアナログ信号に変換するＤ／Ａ変換器４と、スピーカ５と、大容量記憶装置としてのハードディスクドライブ（ＨＤＤ）１０と、ＨＤＤインターフェース部９と、外部記憶装置１１と、操作部１２と、を含む。
【００１７】
チューナ部１は、ＣＰＵ７により制御され、テレビジョン放送またはラジオ放送等の放送電波を受信し、受信された放送電波から選局された放送局の電波を受信し、受信された放送電波を音声信号に復調する。チューナ部１は、復調された音声信号をＡ／Ｄ変換器２に出力するとともに、受信される放送電波の電波強度をＣＰＵ７に出力する。
【００１８】
Ａ／Ｄ変換器２は、チューナ部１より入力される音声信号をデジタルの音声データに変換し、音声データをＣＰＵ７およびＭＰ３コーデック３に出力する。ＨＤＤインターフェース部９は、ＣＰＵ７をＨＤＤ１０と接続するためのインターフェースである。
【００１９】
ＭＰ３コーデック３は、ＣＰＵ７により制御され、ＣＰＵ７からの指示に従って、Ａ／Ｄ変換器２から入力されるデジタルの音声データをデータ圧縮し、符号化データを生成する。ＭＰ３コーデック３は、生成した符号化データをＨＤＤインターフェース部９を介してＨＤＤ１０に記憶する。また、ＭＰ３コーデック３は、ＣＰＵ７により制御され、ＣＰＵ７からの指示に従ってＨＤＤ１０に記憶された符号化データを読み出し、読み出した符号化データを復号し、音声データを生成する。ＭＰ３コーデック３は、生成した音声データをＤ／Ａ変換器４に出力する。
【００２０】
Ｄ／Ａ変換器４は、ＭＰ３コーデック３より入力されるデジタルの音声データをアナログの音声信号に変換する。そして、アナログに変換された音声信号をスピーカ５に出力する。なお、スピーカ５には、図示しない増幅器により増幅された音声信号が入力される。
【００２１】
メモリ８は、ＣＰＵ７が実行するプログラムを記憶するためのＲＯＭ（Ｒｅａｄ  Ｏｎｌｙ  Ｍｅｍｏｒｙ）と、ＣＰＵ７の作業領域として用いられるＲＡＭ（Ｒａｎｄｏｍ  Ａｃｃｅｓｓ  Ｍｅｍｏｒｙ）とを含む。
【００２２】
外部記憶装置１１は、ＣＤ−ＲＯＭ（Ｃｏｍｐａｃｔ  Ｄｉｓｃ−Ｒｅａｄ  Ｏｎｌｙ  Ｍｅｍｏｒｙ）１１Ａが装着され、ＣＰＵ７がＣＤ−ＲＯＭ１１Ａに記憶されたデータにアクセスするためのインターフェースである。ＣＰＵ１１１は、外部記憶装置１１に装着されたＣＤ―ＲＯＭ１１Ａからそれに記憶されているプログラムを読出し、読み出したプログラムをＲＡＭに記憶し、実行する。なお、ＣＰＵ１１１が実行するためのプログラムを記憶する記録媒体としては、ＣＤ−ＲＯＭ１１Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。ここでいうプログラムは、ＣＰＵ７により直接実行可能なプログラムだけでなく、ソースプログラム、圧縮処理されたプログラム、暗号化されたプログラム等を含む。
【００２３】
操作部１２は、複数のキーを備え、ユーザが入力する操作を受け付ける。操作部１２は、液晶表示装置と、それに重畳された透明な部材からなるタッチパネルとを含む構成としてもよい。
【００２４】
図２は、ＣＰＵが有する機能の概要の一例を示す機能ブロック図である。図２を参照して、カーオーディオ装置が備えるＣＰＵ７は、音声データから楽曲部分（楽曲コンテンツ）を抽出する楽曲コンテンツ抽出部２１と、カット点を検出するカット点検出部２３と、ノイズ尤度を算出するノイズ尤度算出部２５と、楽曲尤度を算出する楽曲尤度算出部２７と、楽曲コンテンツが含まれる放送信号の電波強度を取得する電波強度取得部２９と、番組情報を取得する番組情報取得部３１と、楽曲の長さを取得する楽曲長取得部３３と、比較部４１と、ユーザによる設定を受け付ける設定受付部３５と、を含む。
【００２５】
楽曲コンテンツ抽出部２１は、Ａ／Ｄ変換器２から入力される音声データのうちから楽曲が含まれる楽曲部分を楽曲コンテンツとして抽出する。音声データから楽曲コンテンツを抽出する技術は、例えば、音声信号レベルの変化量が所定値以上である時点をカット点として検出し、カット点近傍においてのみ音声信号の周波数領域における特徴量を算出し、算出された周波数特徴量に基づき、カット点の属性を判定し、属性とサンプリング点との間隔に基づき、曲区間の始点と終点とを検出する技術を用いることができる。楽曲コンテンツ抽出部２１は、抽出された楽曲コンテンツを、カット点検出部２３、ノイズ尤度算出部２５および楽曲尤度算出部２７に出力する。
【００２６】
カット点検出部２３は、楽曲コンテンツの音声信号レベルの変化量が所定値以上である時点をカット点として検出し、楽曲コンテンツから抽出されたカット点の数を比較部４１に出力する。
【００２７】
ノイズ尤度算出部２５は、所定期間の楽曲コンテンツの周波数の特徴量としてＭＦＣＣ（メルケール周波数ケプストラム計数）を算出し、算出された特徴量と、基準となるノイズの教師データとの尤度をノイズ尤度として算出し、そのノイズ尤度を比較部４１に出力する。ノイズの教師データは、例えば、ＦＭラジオ放送に含まれるホワイトノイズのＭＦＣＣを用いればよい。ノイズ尤度算出部２５は、所定期間で１つのノイズ尤度を算出し、出力するので、ノイズ尤度算出部２５は、所定期間間隔でノイズ尤度を出力する。
【００２８】
なお、ここではノイズ尤度を算出する例を示すが、同一の楽曲コンテンツの周波数成分を比較するようにしてもよい。同一の楽曲コンテンツの同一の区間においては楽曲部分による周波数成分は同一であるはずであり、比較した際に生じた差分はノイズ部分による周波数成分とみなすことができる。換言すれば、同一の楽曲コンテンツの周波数成分を比較した際により多くの周波数成分が含まれているほど、より多くのノイズが含まれており、ノイズのレベルは高いとみなすことができる。
【００２９】
楽曲尤度算出部２７は、所定期間の楽曲コンテンツの周波数の特徴量としてＭＦＣＣ（メルケール周波数ケプストラム計数）を算出し、算出された特徴量と、基準となる楽曲の教師データとの尤度を楽曲尤度として算出し、その楽曲尤度を比較部４１に出力する。楽曲の教師データは、例えば、楽曲のＭＦＣＣを用いればよい。楽曲尤度算出部２７は、所定期間で１つの楽曲尤度を算出し、出力するので、楽曲尤度算出部２７は、所定期間間隔で楽曲尤度を出力する。
【００３０】
電波強度取得部２９は、チューナ部１が出力する電波強度を取得する。電波強度取得部２９は、取得された電波強度を比較部４１に出力する。
【００３１】
番組情報取得部３１は、チューナ部１により選曲された放送局および番組情報を取得する。例えば、放送電波に含まれる番組情報をチューナ部１から取得するようにしてもよいし、ユーザが入力する番組情報を取得するようにしてもよい。番組情報は、放送局を識別するためのチャンネル情報と、番組を識別するためのプログラム情報とを含む。番組情報取得部３１は、取得された番組情報を比較部４１に出力する。
【００３２】
楽曲長取得部３３は、楽曲コンテンツ抽出部２１より入力される楽曲コンテンツの時間を計測し、楽曲コンテンツの開始から終了までの時間を楽曲長として取得する。楽曲長取得部３３は、取得された楽曲長を比較部４１に出力する。
【００３３】
比較部４１は、複数の評価指標を決定する評価指標決定部４３と、品質レベルを算出する品質レベル算出部４５と、品質レベルを比較する品質レベル比較部４７と、を含む。
【００３４】
評価指標決定部４３は、カット点評価指標決定部５１と、ノイズ量評価指標決定部５２と、ノイズ割合評価指標決定部５３と、楽曲量評価指標決定部５４と、楽曲割合評価指標決定部５５と、電波強度評価指標決定部５６と、番組評価指標決定部５７と、時間長評価指標決定部５８と、を含む。
【００３５】
カット点評価指標決定部５１は、カット点検出部２３からカット点の数が入力される。カット点評価指標決定部５１は、入力されるカット点の数に応じて予め定められたカット点評価指数を決定し、決定したカット点評価指標を品質レベル比較部４７に出力する。カット点は、音声パワーの変化量が所定値以上となる時点である。楽曲コンテンツにおいて、音声パワーの変化量が所定値以上となる時点は、ラジオ放送の受信時にサージなどにより局所的に激しいノイズが含まれている箇所である。このため、カット点が多ければ、楽曲コンテンツ抽出部２１により抽出された楽曲コンテンツに、ノイズが含まれている可能性が高い。したがって、カット点評価指標は、カット点の数が多いほど小さな値となる。
【００３６】
ノイズ量評価指標決定部５２は、ノイズ尤度算出部２５から所定期間間隔で複数のノイズ尤度が入力される。ノイズ量評価指標決定部５２は、複数のノイズ尤度の最大値を決定し、最大のノイズ尤度に対応して予め定められたノイズ量評価指標を決定し、決定したノイズ量評価指標を品質レベル比較部４７に出力する。ノイズ尤度は、楽曲コンテンツ抽出部２１により抽出された楽曲コンテンツの周波数がノイズの周波数に類似する確からしさを示すため、ノイズ尤度の最大値が高ければ、楽曲コンテンツのうちでノイズの周波数に最も類似する箇所が、ノイズの周波数に類似する度合いを示す。このため、のノイズ量評価指標は、ノイズ尤度の最大値が大きいほど小さな値となる。
【００３７】
ノイズ割合評価指標決定部５３は、ノイズ尤度算出部２５から所定期間間隔で複数のノイズ尤度が入力される。ノイズ量評価指標決定部５２は、複数のノイズ尤度の平均値を算出し、平均のノイズ尤度に対応して予め定められたノイズ割合評価指標を決定し、決定したノイズ割合評価指標を品質レベル比較部４７に出力する。ノイズ尤度は、楽曲コンテンツ抽出部２１により抽出された楽曲コンテンツの周波数がノイズの周波数に類似する確からしさを示すため、ノイズ尤度の平均値が高ければ、楽曲コンテンツ全体におけるノイズの周波数に類似する度合いを示す。このため、ノイズ割合評価指標は、ノイズ尤度の平均値が大きいほど小さな値となる。
【００３８】
楽曲量評価指標決定部５４は、楽曲尤度算出部２７から所定期間間隔で複数の楽曲尤度が入力される。楽曲量評価指標決定部５４は、複数の楽曲尤度の最大値を決定し、最大の楽曲尤度に対応して予め定められた楽曲量評価指標を決定し、決定した楽曲量評価指標を品質レベル比較部４７に出力する。楽曲尤度は、楽曲コンテンツ抽出部２１により抽出された楽曲コンテンツの周波数が楽曲の周波数に類似する確からしさを示すため、楽曲尤度の最大値が高ければ、楽曲の周波数に最も類似する箇所が、楽曲の周波数に類似する度合いを示す。このため、楽曲量評価指標は、楽曲尤度の最大値が大きいほど大きな値となる。
【００３９】
楽曲割合評価指標決定部５５は、楽曲尤度算出部２７から所定期間間隔で複数の楽曲尤度が入力される。楽曲量評価指標決定部５４は、複数の楽曲尤度の平均値を算出し、平均の楽曲尤度に対応して予め定められた楽曲割合評価指標を決定し、決定した楽曲割合評価指標を品質レベル比較部４７に出力する。楽曲尤度は、楽曲コンテンツ抽出部２１により抽出された楽曲コンテンツの周波数が楽曲の周波数に類似する確からしさを示すため、楽曲尤度の平均値が高ければ、楽曲コンテンツ全体における楽曲の周波数に類似する度合いを示す。このため、楽曲割合評価指標は、楽曲尤度の平均値が大きいほど大きな値となる。
【００４０】
電波強度評価指標決定部５６は、電波強度取得部２９から電話強度が入力される。楽曲コンテンツを含む放送電波がチューナ部１により受信されている間の電波強度が入力される。電波強度評価指標決定部５６は、入力される電波強度の最大値または平均値に対して予め定められた電波強度評価指標を決定し、決定した電波強度評価指標を品質レベル比較部４７に出力する。電波強度が高ければ楽曲コンテンツにノイズが含まれる確率が低いので、電波強度評価指標は、電波強度の最大値または平均値が高いほど大きな値となる。
【００４１】
番組評価指標決定部５７は、番組情報取得部３１から番組情報が入力される。番組評価指標決定部５７は、入力される番組情報に対応して予め定められた番組評価指標を決定し、決定した番組評価指標を品質レベル比較部４７に出力する。放送局やプログラムにより、楽曲コンテンツごとに特徴が現れる。例えばＦＭラジオ放送に含まれる楽曲コンテンツは、曲の先頭などに、放送プログラムによって、ディスクジョッキーによる曲紹介等が含まれる場合がある。ユーザの嗜好によっては、放送プログラム（放送番組）ごとにディスクジョッキーの好き嫌いが存在する可能性がある。このため、番組評価指標は、ユーザの意思を反映するための指標であり、ユーザにより番組情報ごとに設定される。
【００４２】
時間長評価指標決定部５８は、楽曲長取得部３３から楽曲長が入力され、楽曲長に対応して予め定められた時間長評価指標を決定し、決定した時間長評価指標を品質レベル算出部４５に出力する。ＦＭラジオ放送等に含まれる楽曲コンテンツは、番組プログラムによっては楽曲コンテンツの途中までしか放送されない場合がある。オリジナルの楽曲コンテンツの長さが判明している場合、それに近い長さの楽曲コンテンツほど好ましい。時間長評価指標は、オリジナルの楽曲長に近いほど大きな値となる。
【００４３】
品質レベル算出部４５は、設定部６１を含む。設定部６１は、複数の評価指標ごとに重み付け係数を設定する。ユーザがカーオーディオ装置に複数の評価指標ごとの重み付け係数を操作部１２に入力すれば、設定受付部３５は、操作部１２に入力される複数の評価指標ごとの重み付け係数を受け付ける。設定受付部３５は、受け付けられた複数の評価指標ごとの重み付け係数を、設定部６１に出力する。設定部６１は、設定受付部３５から入力される重み付け係数を、メモリ８に記憶する。また、ユーザがカーオーディオ装置に予め設定されている複数の重み付け係数を変更する操作を入力すれば、その変更を受け付け、予め設定されてメモリ８に記憶されている複数の重み付け係数をユーザにより変更された重み付け係数で書き換える。
【００４４】
品質レベル算出部４５は、評価指標決定部４３より入力されるカット点評価指標、ノイズ量評価指標、ノイズ割合評価指標、楽曲量評価指標、楽曲割合評価指標、電波強度評価指標、番組評価指標および時間長評価指標と、設定部６１により設定された重み付け係数とを用いて品質レベルを決定し、決定した品質レベルと複数の評価指標とを品質レベル比較部４７に出力する。具体的には、次式（１）を用いて品質レベルを算出する。
【００４５】
品質レベルＱ＝ΣＷｉ×Ｅｉ  …  （１）
（但し、１≦ｉ≦８）
ここで、Ｅ１（ｉ＝１のときのＥｉ）はカット点評価指標を示し、Ｗ１（ｉ＝１のときのＷｉ）はカット点評価指標に対応する重み付け係数を示す。Ｅ２はノイズ量評価指標を示し、Ｗ２はノイズ量評価指標に対応する重み付け係数を示す。Ｅ３はノイズ割合評価指標を示し、Ｗ３はノイズ割合評価指標に対応する重み付け係数を示す。Ｅ４は楽曲量評価指標を示し、Ｗ４は楽曲量評価指標に対応する重み付け係数を示す。Ｅ５は楽曲割合評価指標を示し、Ｗ５は楽曲割合評価指標に対応する重み付け係数を示す。Ｅ６は電波強度評価指標を示し、Ｗ６は電波強度評価指標に対応する重み付け係数を示す。Ｅ７は番組評価指標を示し、Ｗ７は番組評価指標に対応する重み付け係数を示す。Ｅ８は時間長評価指標を示し、Ｗ８は時間長評価指標に対応する重み付け係数を示す。
【００４６】
品質レベル比較部４７は、品質レベル算出部４５から入力される品質レベルを、ＨＤＤ１０に記憶されている同一内容の楽曲コンテンツに対応する品質レベルと比較する。そして、品質レベル算出部４５から入力される品質レベルが、ＨＤＤ１０に記憶されている同一内容の楽曲コンテンツに対応する品質レベルよりも大きければ、楽曲コンテンツ抽出部２１により抽出された楽曲コンテンツを、それに対応するカット点評価指標、ノイズ量評価指標、ノイズ割合評価指標、楽曲量評価指標、楽曲割合評価指標、電波強度評価指標、番組評価指標および時間長評価指標とともにＨＤＤ１０に記憶する。この際、比較の対象となったＨＤＤ１０に記憶されている同一内容の楽曲コンテンツと、それに対応する評価指標とを削除する。
【００４７】
なお、ユーザが同一内容の楽曲コンテンツを削除する場合に、各評価指標の値を判断材料としてユーザに提供するようにしてもよい。
【００４８】
また、２つの楽曲コンテンツそれぞれの品質レベルを、カット点評価指標、ノイズ量評価指標、ノイズ割合評価指標、楽曲量評価指標、楽曲割合評価指標、電波強度評価指標、番組評価指標および時間長評価指標から求めるようにしたが、それら８つの評価指標の１つを品質レベルとしてもよいし、８つの評価指標のうちから選択された２以上の郡から品質レベルを算出するようにしてもよい。
【００４９】
＜変形例＞
上述した実施の形態においては、複数の評価指標を用いて品質レベルを決定するようにしたが、カット点の数のみを用いて品質レベルを決定することができる。この場合、図２において、ノイズ尤度算出部２５、楽曲尤度算出部２７、電波強度取得部２９、番組情報取得部３１および楽曲長取得部３３は不要である。さらに、比較部４１において品質レベル算出部４５および品質レベル比較部４７は不要であり、評価指標決定部４３は、カット点評価指標決定部５１のみを有すればよい。比較部４１は、カット点評価指標決定部５１により決定されたカット点評価指標に基づいて、楽曲コンテンツ抽出部２１により抽出された楽曲コンテンツのノイズレベルを判定する。例えば、しきい値を用いて、記録するか否かを判定する。
【００５０】
なお、上述した実施の形態においては、楽曲品質判定装置の一例としてカーオーディオ装置１を例に説明したが、図２に示した機能を実行するための楽曲品質判定方法、およびその楽曲品質判定方法をコンピュータに実行させるための楽曲品質判定プログラムとして発明を捉えることができるのは言うまでもない。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５２】
＜付記＞
（１）  前記評価指標決定手段は、前記楽曲コンテンツから音声信号レベルまたはその変化量が所定値以上である時点をカット点として検出するカット点検出手段と、
前記検出されたカット点の個数に基づいてカット点評価指標を決定するカット点評価指標決定手段と、を含む請求項１〜６のいずれかに記載の楽曲品質判定装置。
（２）  前記評価指標決定手段は、前記楽曲コンテンツを含む前記放送信号が前記受信手段により受信されている間における前記放送信号の電波強度に基づいて、電波強度評価指標を決定する電波強度評価指標決定手段を含む、請求項１に記載の楽曲品質判定装置。
（３）  前記評価指標決定手段は、前記楽曲コンテンツを含む前記ラジオ放送の放送局名または番組名に基づいて、番組評価指標を決定する番組評価指標決定手段を含む、請求項１〜６、（１）〜（２）のいずれかに記載の楽曲品質判定装置。
（４）  前記評価指標決定手段は、前記楽曲コンテンツの時間的な長さに基づいて、時間長評価指標を決定する時間長評価指標決定手段を含む、請求項１〜６、（１）〜（３）のいずれかに記載の楽曲品質判定装置。
（５）  放送電波を受信する受信手段と、
前記受信された放送電波から楽曲コンテンツを抽出する抽出手段と、
前記抽出された楽曲コンテンツから音声信号レベルまたはその変化量が所定値以上である時点をカット点として検出するカット点検出手段と、
前記検出されたカット点の個数に基づいて、前記抽出された楽曲コンテンツのノイズレベルを判定する判定手段と、を備えた楽曲品質判定装置。
【００５３】
楽曲コンテンツにおいて音声信号レベルまたはその変化量が所定値以上である時点は、ノイズである可能性が高いので、ノイズの多少を判定することが可能な楽曲品質判定装置を提供することができる。
（６）  放送電波から楽曲コンテンツを抽出するステップと、
前記抽出された楽曲コンテンツを記憶するステップと、
前記抽出された楽曲コンテンツに対する複数の評価指標を決定するステップと、
前記複数の評価指標に重み付けした前記品質レベルを算出するステップと、
前記抽出された楽曲コンテンツと同一タイトルの楽曲コンテンツが記憶されている場合、前記抽出された楽曲コンテンツの品質レベルと前記記憶された楽曲コンテンツの品質レベルとを比較するステップと、を含む楽曲品質判定方法。
（７）  放送電波から楽曲コンテンツを抽出するステップと、
前記抽出された楽曲コンテンツから音声信号レベルまたはその変化量が所定値以上である時点をカット点として検出するステップと、
前記検出されたカット点の個数に基づいて、前記抽出された楽曲コンテンツのノイズレベルを判定するステップと、を含む楽曲品質判定方法。
【図面の簡単な説明】
【００５４】
【図１】本実施の形態におけるカーオーディオ装置の基本構成の一例を示す図である。
【図２】ＣＰＵが有する機能の概要の一例を示す機能ブロック図である。
【符号の説明】
【００５５】
１  チューナ部、２  Ａ／Ｄ変換器、３  ＭＰ３コーデック、４  Ｄ／Ａ変換器、５  スピーカ、８  メモリ、９  ＨＤＤインターフェース部、１１  外部記憶装置、１２  操作部、２１  楽曲コンテンツ抽出部、２３  カット点検出部、２５  ノイズ尤度算出部、２７  楽曲尤度算出部、２９  電波強度取得部、３１  番組情報取得部、３３  楽曲長取得部、３５  設定受付部、４１  比較部、４３  評価指標決定部、４５  品質レベル算出部、４７  品質レベル比較部、５１  カット点評価指標決定部、５２  ノイズ量評価指標決定部、５３  ノイズ割合評価指標決定部、５４  楽曲量評価指標決定部、５５  楽曲割合評価指標決定部、５６  電波強度評価指標決定部、５７  番組評価指標決定部、５８  時間長評価指標決定部、６１  設定部。
【図１】
2010060838.tif 000003
【図２】
2010060838.tif 000004